(57)【要約】【課題】被装飾物品に取り付けたときにボウが横方向に向く装飾品を提供すること。【解決手段】本考案は、ボウ（１４）とループ（１６）とからなる装飾品（１０）に係り、ループ（１６）は互いに重ね合わされた部分（１８）を有しかつ互いに反対方向へ伸びる両端部（１６ａ）、又は互いに交差する部分を有する両端部を備える。ループ（１６）はその重合部分又はその交差部分においてボウ（１４）の結び目（２０）に通されている。【選択図】図１
0003125655.tif 000002
【実用新案登録請求の範囲】
【請求項１】
ボウと、ループとからなる装飾品であって、
前記ループは、互いに重ね合わされた部分を有しかつ互いに反対方向へ伸びる両端部を備え、その重合部分において前記ボウの結び目に通されている、装飾品。
【請求項２】
ボウと、ループとからなる装飾品であって、
前記ループは互いに交差する部分を有する両端部を備え、その交差部分において前記ボウの結び目に通されている、装飾品。
【請求項３】
前記ボウと前記ループとはそれぞれリボン片からなる、請求項１又は２に記載の装飾品。
【請求項４】
前記ボウのリボン片は前記ループのリボン片より大きい幅寸法を有する、請求項３に記載の装飾品。
【考案の詳細な説明】
【技術分野】
【０００１】
本考案は、贈答品のような物品に取り付けられこれを装飾する装飾品、より詳細には商品が詰められた包装瓶や細長い包装袋、商品自体等への取り付けに適する装飾品に関する。
【背景技術】
【０００２】
従来、このような装飾品の一つとして、装飾主体であるボウ（例えばリボン片を蝶結びにしたもの）と、該ボウを例えば包装瓶に取り付けるためのループ（例えばリボン片を環状に湾曲させたもの）とからなるものが使用されている。
【０００３】
前記従来の装飾品においては、前記ループは互いに重ね合わされ同方向へ伸びる両端部を有し、その重合部分において前記ボウの結び目に通されている。これによれば、前記ループを例えば装飾瓶の首に掛け、前記ループの両端部の一方または双方を引いて該ループの輪を狭めることにより、前記ボウが包装瓶に取り付けられる。
【０００４】
ところで、両端部を同方向に揃えて前記ボウの結び目に通された前記ループは前記ボウと同じ方向へ又はこれと平行に伸びることから、前記ループを包装瓶の首に掛けたとき、前記ループは前記包装瓶の軸線方向（上下方向）へ伸び、また該ループの輪を狭めたとき、前記ボウもまた前記包装瓶の軸線方向へ伸びる。
【０００５】
ボウは、本来、前記包装瓶の軸線を横切る方向（横方向）へ伸びる姿勢におかれるとき、その装飾効果を十分に発揮する。この点において、ボウが前記包装瓶の軸線方向へ伸びる姿勢におかれる前記従来の装飾品は、十分でない。このことは他の被装飾物品についても同様である。
【考案の開示】
【考案が解決しようとする課題】
【０００６】
本考案の目的は、被装飾物品に取り付けたときにボウが横方向に向く装飾品を提供することにある。
【課題を解決するための手段】
【０００７】
本考案は、ボウとループとからなる装飾品に係り、前記ループは互いに重ね合わされた部分を有しかつ互いに反対方向へ伸びる両端部、又は互いに交差する部分を有する両端部を備え、前記ループの重合部分又はその交差部分において前記ボウの結び目に通されている。
【０００８】
前記ボウは例えば比較的広幅のリボン片を蝶結びに結んで、前記ループは例えば比較的細幅のリボン片を環状に湾曲させてなるものとすることができる。
【考案の効果】
【０００９】
本考案によれば、ループがその互いに反対方向へ伸びる両端部の重合部分においてボウの結び目に通され、あるいはループがその両端部の交差部分においてボウの結び目に通されていることから、前記ループは前記ボウの背後へ広がるように環状に伸びる。このため、前記ループを例えば包装瓶の首に掛け、次いで前記ループの両端部の一方又は双方を引っ張ってその輪を狭めると、前記ループは前記ボウと共に前記包装瓶の表面を横方向へ伸びる。
【００１０】
前記ボウ及びループは、それぞれ、種々の色彩、模様等、あるいは種々の長さ寸法、幅寸法等を有するリボン片により形成することができる。
【考案を実施するための最良の形態】
【００１１】
図１及び図２を参照すると、本考案に係る装飾品が全体に符号１０で示されている。
【００１２】
装飾品１０は、図３に示すように、贈答品のような被装飾物品、例えば商品が詰められた包装容器である包装瓶１２に取り付けられ、これを装飾するために用いられる。
【００１３】
装飾品１０は、ボウ１４と、ループ１６とからなる。
【００１４】
ボウ１４は、リボン片を蝶結びに結んでなり、またループ１６はリボン片を環状に湾曲させてなる。前記リボン片に代えてテープ片からなるものとすることができる。
【００１５】
ボウ１４及びループ１６の形成に供される前記リボン片又はテープ片（以下「リボン片等」という。）は、例えば合成繊維製の織物からなる。ボウ１４を構成するリボン片等は、ボウ自体のその華やかさを強調するため、好ましくはループ１６を構成するリボン片等より大きい幅寸法を有する。
【００１６】
また、両リボン片等はこれらが共通の色彩を有するもの、異なる色彩を有するもの、模様を有するもの、模様を有しない無地のもの等任意に設定することができる。なお、両リボン片等は、それぞれ、合成繊維製又は天然繊維製の織物、合成樹脂製のフィルム等からなるものとすることができる。
【００１７】
ループ１６は両端部１６ａを備える。
【００１８】
ループ１６の両端部１６ａは、互いに重ね合わされた部分１８を有し、互いに反対方向へ伸びている。
【００１９】
ループ１６はその重合部分１８において、ボウ１４の結び目２０に通されている。換言すれば、ループの両端部１６ａは、結び目２０内において、互いに重なり合い、重合部分１８をなしている。これにより、ループ１６はボウ１４と一体をなしている。
【００２０】
しかし、ループ１６はボウ１４に対して相対移動可能である。より詳細には、ボウ１４に対して、該ボウの結び目２０内を通るループ１６の両端部１６ａの一方又は双方を相対移動させることができ、これにより、ループ１６の輪を狭め又は広げることが可能である。
【００２１】
ところで、ボウ１４の結び目２０は、ボウ１４全体の伸張方向（図上の左右方向）に直交している。このため、ボウ１４の結び目２０を通るループの両端部１６ａは、ボウ１４全体の伸張方向へ伸びる。あるいは、ループ１６の伸張方向へ伸びる該ループの環状の軸線は、ボウ１４の伸張方向軸線を含む平面上に存する。
【００２２】
本考案に係る装飾品１０による前記包装瓶の装飾は、包装瓶１２の首２２又はその胴２４の上部に掛けたループ１６の輪を狭め、装飾瓶１２の周囲を締め付けてこれにボウ１４を取り付けることにより行う。
【００２３】
このとき、前記したところから、ボウ１４はループ１６の軸線方向（包装瓶１２を横切る横方向）に伸びる。これにより、ボウ１４による包装瓶１２の装飾がより効果的になされる。また、ループ１６はボウ１４が配置された包装瓶１２の表面の裏側でその両端部１６ａを結び合わせ、これによりボウ１４の位置を保持すると共に装飾要素とすることもできる。
【００２４】
なお、図示の例では、ループ１６は、ボウ１４の見栄えを損なわないように、ボウ１４の表面の反対側である背面において、その結び目２０に通されている。しかし、この例に代えて、ボウ１４の表面の側においてその結び目２０にループの重合部分１８を通すことは任意である。
【００２５】
ループ１６の重合部分１８がボウ１４の結び目２０に通された状態にすることは、ループの各端部１６ａをボウの結び目２０に通すことにより行うことも可能であるが、これに代えて、ボウ１４の形成材料である例えば前記リボン片をループ１６の重合部分に巻き付けてボウ１４を形成することによっても可能である。
【００２６】
ループ１６について、互いに重ね合わされた部分１８を有しかつ互いに反対方向へ伸びる両端部１６ａを備える例について図示し、説明したが、他のループの例として、互いに交差する部分を有する両端部を有するもの（図示せず）とすることができる。
【００２７】
この他の例では、ループの両端部がボウ１４の結び目２０に通され、該結び目２０内で互いに交差し、交差箇所で重なり合う。この例にあっても、図示の例と同様、ボウ１４に対してループの両端部の一方又は双方を相対移動させて前記ループの輪を狭めることにより、前記包装瓶の周囲にボウ１４を横方向に向けて取り付けることができる。
【図面の簡単な説明】
【００２８】
【図１】本考案の一例に係る装飾品のボウの背面側から見た斜視図である。
【図２】装飾品のボウの正面側から見た斜視図である。
【図３】包装瓶に取り付けられた装飾品の正面図である。
【符号の説明】
【００２９】
１０  装飾品
１２  包装瓶
１４  ボウ
１６  ループ
１６ａ  ループの端部
１８  重合部分
２０  ボウの結び目
【図１】
0003125655.tif 000003
【図２】
0003125655.tif 000004
【図３】
0003125655.tif 000005